(57)【要約】【課題】比較的大型の野生動物を効率よく捕獲できる動物捕獲用檻を提供する。【解決手段】檻本体１の底側に水平に配され、回動可能に支持される回動軸８と、檻本体１の底部の一部を形成するように回動軸８に取り付けられる底板９と、底板９が水平方向を向いたときに底板９の回動先端と対向する固定部としての矩形枠７と、矩形枠７と底板９との間に差し渡されて底板９を水平に支持する支持ピン１０とを設け、底板９上に動物が乗って底板９に所定値以上のモーメントが加わったときに、支持ピン１０が折れ曲がって底板９が回動し、その下方を通る解除紐１８を押し下げることにより、落下扉２が落下して檻本体１の前後面の開口１ａが閉じられる構成とした。この動物捕獲用檻では、捕獲対象外の小動物に対して作動するおそれがないので、比較的大型の動物を効率よく捕獲することができる。【選択図】図２
2015073496.tif 000002
【特許請求の範囲】
【請求項１】
前面および後面に動物が進入可能な開口が形成された檻本体と、前記檻本体の各開口の上方から落下することにより開口を閉じる一対の落下扉と、前記各落下扉を檻本体の開口の上方で保持する保持機構と、前記保持機構による落下扉の保持状態を解除するための解除機構とを備えた動物捕獲用檻において、
前記檻本体の底側に水平に配され、回動可能に支持される回動軸と、前記檻本体の底部の少なくとも一部を形成するように前記回動軸に取り付けられる底板と、前記底板が水平方向を向いたときに底板の回動先端と対向する固定部と、前記固定部と底板との間に差し渡されて底板を水平に支持する支持ピンとを設け、
前記底板上に動物が乗って底板に所定値以上のモーメントが加わったときに、前記支持ピンが折れ曲がって前記底板が回動軸と一体に回動することにより、前記解除機構が作動して前記保持機構による各落下扉の保持状態が解除され、前記各落下扉が落下して各開口が閉じられるようにしたことを特徴とする動物捕獲用檻。
【請求項２】
前記保持機構が、前記檻本体に回動可能に取り付けられ、所定姿勢で前記各落下扉を支持する一対の扉支持部材と、前記檻本体に係止される係止具と、一端を前記扉支持部材の一つに連結され、他端に設けた係止部が前記係止具に連結される一対の連結紐とを備えたものであり、
前記解除機構は、前記係止具の檻本体への係止状態を解除するための解除片と、一端が前記檻本体または固定部に固定され、他端が前記解除片に連結され、前記底板の下方を通過するように張られる解除紐とを備えたものであり、
前記底板上に動物が乗って底板が回動したときに、前記底板が解除紐を押し下げて解除片を引っ張ることにより、前記係止具の檻本体への係止状態が解除され、前記係止具から各連結紐が外れて前記各扉支持部材の所定姿勢がくずれ、前記各落下扉が同時に落下するようにしたことを特徴とする請求項１に記載の動物捕獲用檻。
【発明の詳細な説明】
【技術分野】
【０００１】
本発明は、比較的大型の野生動物を捕獲するための動物捕獲用檻に関する。
【背景技術】
【０００２】
野生動物を捕獲するための動物捕獲用檻としては、前面および後面に開口が形成された檻本体と、檻本体の各開口の上方から落下することにより開口を閉じる一対の落下扉と、各落下扉を檻本体の開口の上方で保持する保持機構と、保持機構による落下扉の保持状態を解除するための解除機構とを備えたものがよく用いられているが、その檻本体内に動物が入ったときに解除機構を作動させる方法には種々のものがある。
【０００３】
例えば、特許文献１で提案されている動物捕獲用檻では、檻本体の底板を回動可能に支持し、その底板上に動物が乗ったときに、底板が回動することにより、解除機構が作動して保持機構による各落下扉の保持状態が解除され、各落下扉が落下するようにしている。
【先行技術文献】
【特許文献】
【０００４】
【特許文献１】特開平８−５６５４９号公報
【発明の概要】
【発明が解決しようとする課題】
【０００５】
ところで、上記特許文献１に記載された動物捕獲用檻は、解除機構の昇降部材を檻本体に付勢部を介して上下動自在に弾性支持し、この昇降部材を底板の回動先端部に連結することによって底板を支持している。このため、本来の捕獲対象ではない小動物が底板上に乗っても、付勢部の弾性により底板がある程度回動して解除機構が作動し、落下扉が落下して檻本体の前後面の開口を閉じてしまうおそれがある。そして、一旦檻本体の開口が閉じられると、再び動物の捕獲が可能な状態とするには、落下扉を持ち上げてその保持機構をセットしなおす必要があり、この保持機構の再セットに手間がかかるうえ、保持機構の再セットを行うまで本来の捕獲対象動物を捕獲できなくなる。すなわち、この動物捕獲用檻では、比較的大型の野生動物のみを捕獲しようとする場合、その捕獲対象の動物を効率よく捕獲することができないという問題がある。
【０００６】
そこで、本発明は、比較的大型の野生動物を効率よく捕獲できる動物捕獲用檻を提供することを課題とする。
【課題を解決するための手段】
【０００７】
上記の課題を解決するために、本発明は、前面および後面に動物が進入可能な開口が形成された檻本体と、前記檻本体の各開口の上方から落下することにより開口を閉じる一対の落下扉と、前記各落下扉を檻本体の開口の上方で保持する保持機構と、前記保持機構による落下扉の保持状態を解除するための解除機構とを備えた動物捕獲用檻において、前記檻本体の底側に水平に配され、回動可能に支持される回動軸と、前記檻本体の底部の少なくとも一部を形成するように前記回動軸に取り付けられる底板と、前記底板が水平方向を向いたときに底板の回動先端と対向する固定部と、前記固定部と底板との間に差し渡されて底板を水平に支持する支持ピンとを設け、前記底板上に動物が乗って底板に所定値以上のモーメントが加わったときに、前記支持ピンが折れ曲がって前記底板が回動軸と一体に回動することにより、前記解除機構が作動して前記保持機構による各落下扉の保持状態が解除され、前記各落下扉が落下して各開口が閉じられるようにした。なお、ここでの「水平」とは、本発明の動物捕獲用檻が上記課題を解決できる範囲で略水平であることを意味している（以下同じ）。
【０００８】
上記の構成によれば、檻本体に入った動物が底板上に乗っても、その重量によって底板に生じるモーメントが所定値未満であれば、固定部と底板との間に差し渡された支持ピンが折れ曲がることなく底板を支持し続け、檻本体の前後面の開口が閉じられることはないので、比較的大型の（重量の大きい）動物のみを効率よく捕獲することができる。
【０００９】
また、具体的な構成としては、前記保持機構には、前記檻本体に回動可能に取り付けられ、所定姿勢で前記各落下扉を支持する一対の扉支持部材と、前記檻本体に係止される係止具と、一端を前記扉支持部材の一つに連結され、他端に設けた係止部が前記係止具に連結される一対の連結紐とを備えたものを採用するとともに、前記解除機構には、前記係止具の檻本体への係止状態を解除するための解除片と、一端が前記檻本体または固定部に固定され、他端が前記解除片に連結され、前記底板の下方を通過するように張られる解除紐とを備えたものを採用し、前記底板上に動物が乗って底板が回動したときに、前記底板が解除紐を押し下げて解除片を引っ張ることにより、前記係止具の檻本体への係止状態が解除され、前記係止具から各連結紐が外れて前記各扉支持部材の所定姿勢がくずれ、前記各落下扉が同時に落下するようにするとよい。
【発明の効果】
【００１０】
本発明の動物捕獲用檻は、上述したように、底板上に動物が乗って底板に所定値以上のモーメントが加わったときに、底板を支持する支持ピンが折れ曲がって底板が回動することにより、檻本体の前後面の開口が閉じられるようにしたものであるから、軽量の小動物が底板上に乗っても開口を閉じることなく捕獲可能な状態を維持して、比較的大型の動物のみを効率よく捕獲することができる。
【図面の簡単な説明】
【００１１】
【図１】実施形態の動物捕獲用檻の側面図
【図２】図１の檻の一部切欠き正面図
【図３】図１の檻の底部の平面図
【図４】ａ、ｂは、それぞれ図１の檻の要部の構成および動作を説明する縦断面図
【図５】ａ、ｂは、それぞれ図１の檻の別の要部の構成および動作を説明する斜視図
【発明を実施するための形態】
【００１２】
以下、図面に基づき、本発明の実施形態について説明する。この動物捕獲用檻は、猪等の比較的大型の（重量の大きい）動物を捕獲対象とするもので、図１および図２に示すように、前面および後面に捕獲対象動物が進入可能な開口１ａが形成された檻本体１と、檻本体１の各開口１ａの上方から落下することにより開口１ａを閉じる一対の落下扉２、２と、各落下扉２を檻本体１の開口１ａの上方で保持する保持機構３と、保持機構３による落下扉２の保持状態を解除するための解除機構４と、檻本体１の底側にセットされる底板ユニット５とを備えている。そして、地面Ｇに設けた凹部Ｃに底板ユニット５をセットし、その周囲の地面Ｇ上に檻本体１を置いた状態で使用される。
【００１３】
前記檻本体１は、直方体の各辺に鋼製枠材を配し、両側面、上面および底面に鋼棒を格子状に配して、これらの各部材を互いに溶接したものである。そして、図２および図３に示すように、その底部の長手方向中央には略矩形の開口１ｂが形成され、使用時にはこの開口１ｂが前記底板ユニット５に臨むようになっている。なお、底部の開口１ｂの前後には、檻本体１の幅方向に延びる補強板６が設けられている。
【００１４】
図２乃至図４に示すように、前記底板ユニット５は、檻本体１の底部の開口１ｂよりわずかに小さい外形に形成された固定部としての矩形枠７と、矩形枠７内の中央部で檻本体１の長手方向に向けて水平に配され、矩形枠７に両端部を回動可能に支持された一対の回動軸８、８と、各回動軸８に１枚ずつ取り付けられる一対の矩形の底板９、９と、矩形枠７と各底板９との間に差し渡されて各底板９を水平に支持する支持ピン１０とからなる。なお、この実施形態では、各底板９をそれぞれ２本の支持ピン１０で支持しているが、支持ピン１０は各底板９に１本ずつとしてもよい。
【００１５】
ここで、各底板９は、檻本体１の底部の長手方向中央部分を半分ずつ形成するように配され、檻本体１の幅方向中央側の端部の下面を回動軸８に固定されて、水平方向を向いたときにその回動先端が矩形枠７の短辺の内壁と対向するようになっている。また、図４（ａ）に示すように、各底板９の回動先端の上面には上方に立ち上がる帯状部９ａが形成されており、この帯状部９ａとこれに対向する矩形枠７の短辺の上端部を貫通するように支持ピン１０が差し込まれることにより、各底板９が水平に支持されている。そして、各支持ピン１０はアルミニウム等の軟質の金属で形成されており、図４（ｂ）に示すように、底板９に所定値以上のモーメントが加わったときに、支持ピン１０が折れ曲がり、底板９が支持ピン１０から離れて回動軸７と一体に回動するようになっている。
【００１６】
図１および図２に示すように、前記各落下扉２は、四角形の各辺に鋼製枠材を配し、その内側に鋼棒を格子状に配して、これらの各部材を互いに溶接したもので、檻本体１の開口１ａの両側に立設されたガイド部材（図示省略）に案内されて昇降可能となっている。また、その四角形の下辺を形成する鋼製枠材には逆Ｕ字状の吊上部材１１が上向きに取り付けられ、この吊上部材１１が後述するように保持機構３による落下扉２の保持に用いられる。
【００１７】
前記保持機構３は、檻本体１の上面の長手方向両端近傍に回動可能に取り付けられた一対の支持棒（扉支持部材）１２、１２と、檻本体１の上面の長手方向中央部に係止される係止具１３（図５参照）と、各支持棒１２と係止具１３とを連結する一対の連結紐１４、１４とを備えている。各支持棒１２は、動物捕獲可能なセット状態では、一端部に落下扉２の吊上部材１１が引っ掛けられ、他端側が若干高くなるように傾いた姿勢で、落下扉２を檻本体１の開口１ａの上方で保持している。
【００１８】
ここで、図５（ａ）に示すように、係止具１３は、Ｌ字状の棒部材であり、前記セット状態（係止状態）では、一端側の長尺部１３ａを水平に向け他端側の短尺部１３ｂを下向きにした姿勢で、その短尺部１３ｂに各連結紐１４を連結されている。このとき、各連結紐１４は、一端を支持棒１２に結合され、他端に設けられた環状の係止部１４ａを係止具１３の短尺部１３ｂに掛けられて、係止具１３を檻本体１の幅方向の一側へ引っ張る状態で張られている。また、係止具１３の短尺部１３ｂには、一端を檻本体１に結合された係止紐１５の他端に取り付けた連結環１６が掛けられ、係止紐１５が係止具１３を各連結紐１４と反対側に引っ張る状態で張られている。そして、その係止紐１５は、途中で係止具１３の長尺部１３ａに掛けられた解除環（解除片）１７に通されて、係止具１３を引っ張る角度を調整されており、これによって各連結紐１４と係止紐１５が係止具１３を引っ張る力がつり合い、各支持棒１２が図１に実線で示した姿勢で落下扉２を保持できるようになっている。
【００１９】
また、前記解除機構４は、上記のようにセット状態で係止具１３の長尺部１３ａに掛けられる解除環１７（図５（ａ）参照）と、一端が矩形枠７に固定され、他端が解除環１７に結合される解除紐１８（図２および図５（ａ）参照）とを備えている。
【００２０】
ここで、解除紐１８は、図２、図３および図４（ａ）に示すように、矩形枠７の一側の内壁から一対の底板９、９の下方を通過して矩形枠７の他側壁を貫通した後、檻本体１の下から外側へ出て他側面に沿って上り、檻本体１の上面の上方で解除環１７に結合されるように張られている。なお、この実施形態では、解除紐１８の一端を矩形枠７に固定しているが、檻本体１に固定するようにしてもよい。
【００２１】
そして、図２および図４（ｂ）に示すように、底板９に所定値以上の下向きのモーメントが加わると、支持ピン１０が折れ曲がって底板９から抜け、底板９が回動軸８と一体に回動してその下方を通る解除紐１８を押し下げる。これと同時に、図５（ａ）に一点鎖線で示すように、解除環１７が引っ張られて係止具１３の長尺部１３ａから抜ける。すると、各連結紐１４と係止紐１５が係止具１３を引っ張る力のつり合いがくずれ、係止具１３の檻本体１への係止状態が解除される。これにより、図５（ｂ）に示すように係止具１３の短尺部１３ｂから各連結紐１４の係止部１４ａおよび連結環１６が外れて、図１に一点鎖線で示すように各支持棒１２が落下扉２の重量によって大きく回動し、各落下扉２が同時に落下するようになっている。
【００２２】
この動物捕獲用檻は、上述したように、底板９上に動物が乗って底板９に所定値以上のモーメントが加わったときに、底板ユニット５の矩形枠７と底板９との間に差し渡された支持ピン１０が折れ曲がって底板９が回動することにより、解除機構４が作動して保持機構３による各落下扉２の保持状態が解除され、各落下扉２が同時に落下して檻本体１の前後面の開口１ａが閉じられるようにしたものである。
【００２３】
したがって、捕獲対象外の小動物が檻本体１に入って底板９上に乗っても、その動物の重量によって底板９に生じるモーメントが所定値未満であれば、支持ピン１０が折れ曲がることなく底板９を支持し続けるので、檻本体１の各開口１ａが閉じられることはなく、捕獲可能な状態が維持される。このため、捕獲対象外の小動物に対しても作動するおそれのある従来のものに比べて、保持機構３や解除機構４の再セットの頻度が少なく、檻本体１の各開口１ａが閉じられている期間が短縮されるので、捕獲対象である比較的大型の動物を効率よく捕獲することができる。
【符号の説明】
【００２４】
１  檻本体
１ａ、１ｂ  開口
２  落下扉
３  保持機構
４  解除機構
５  底板ユニット
７  矩形枠
８  回動軸
９  底板
１０  支持ピン
１１  吊上部材
１２  支持棒（扉支持部材）
１３  係止具
１４  連結紐
１５  係止紐
１６  連結環
１７  解除環（解除片）
１８  解除紐
【図１】
2015073496.tif 000003
【図２】
2015073496.tif 000004
【図３】
2015073496.tif 000005
【図４】
2015073496.tif 000006
【図５】
2015073496.tif 000007